【手続補正書】
【提出日】平成17年10月19日(2005.10.19)
【手続補正１】
【補正対象書類名】明細書
【補正対象項目名】発明の名称
【補正方法】変更
【補正の内容】
【発明の名称】画像形成システム、その制御方法およびプログラム
【手続補正２】
【補正対象書類名】明細書
【補正対象項目名】特許請求の範囲
【補正方法】変更
【補正の内容】
【特許請求の範囲】
【請求項１】  用紙上に画像を形成する画像形成システムであって、
表示手段と、
複数のメンテナンス項目と各メンテナンス項目に関連するサブメンテナンス項目とを記憶する記憶手段と、
前記複数のメンテナンス項目の中から選択されたメンテナンス項目のメンテナンスが終了したか否かを判定する第１の判定手段と、
前記第１の判定手段により前記選択されたメンテナンス項目のメンテナンスが終了したと判定された場合、前記記憶手段を参照して前記選択されたメンテナンス項目に関連するサブメンテナンス項目があるか否かを判定する第２の判定手段と、
前記第２の判定手段により前記選択されたメンテナンス項目に関連するサブメンテナンス項目があると判定された場合、該サブメンテナンス項目を前記表示手段に表示させる表示制御手段と
を有することを特徴とする画像形成システム。
【請求項２】  前記サブメンテナンス項目とは、前記メンテナンス項目のメンテナンス終了後に行う必要があるメンテナンス項目であることを特徴とする請求項１記載の画像形成システム。
【請求項３】  画像形成動作中にメンテナンスを実行する場合、前記サブメンテナンス項目の表示を画像形成動作終了後に行うか、メンテナンス終了後に行うかを選択する選択手段を有することを特徴とする請求項１記載の画像形成システム。
【請求項４】  画像形成動作以外の動作中にメンテナンスを実行する場合、前記表示制御手段はメンテナンス終了後に前記サブメンテナンス項目を前記表示手段に表示させることを特徴とする請求項１記載の画像形成システム。
【請求項５】  ユーザによりメンテナンス終了指示を入力する入力手段を有し、前記第１の判定手段は、前記入力手段を介して前記ユーザによってメンテナンス終了指示の入力があると、前記メンテナンスが終了したと判定することを特徴とする請求項１記載の画像形成システム。
【請求項６】  シートに対して異なる動作をそれぞれ行う複数の処理モジュールを備える画像形成システムであって、
表示手段と、
前記処理モジュール毎にそのメンテナンス項目と該メンテナンス項目に関連するサブメンテナンス項目とを記憶する記憶手段と、
前記複数の処理モジュールのメンテナンス項目の中から選択された処理モジュールのメンテナンス項目のメンテナンスが終了したか否かを判定する第１の判定手段と、
前記第１の判定手段により前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定手段と、
前記第２の判定手段により前記選択された処理モジュールのメンテナンス項目に関連するサブメンテナンス項目があると判定された場合、該サブメンテナンス項目を前記表示手段に表示させる表示制御手段と
を有することを特徴とする画像形成システム。
【請求項７】  複数のメンテナンス項目と各メンテナンス項目に関連するサブメンテナンス項目とを記憶する記憶手段と、表示手段とを備え、用紙上に画像を形成する画像形成システムの制御方法であって、
前記複数のメンテナンス項目の中から選択されたメンテナンス項目のメンテナンスが終了したか否かを判定する第１の判定ステップと、
前記第１の判定ステップにより前記選択されたメンテナンス項目のメンテナンスが終了したと判定された場合、前記記憶手段を参照して前記選択されたメンテナンス項目に関連するサブメンテナンス項目があるか否かを判定する第２の判定ステップと、
前記第２の判定ステップにより前記選択されたメンテナンス項目に関連するサブメンテナンス項目があると判定された場合、該サブメンテナンス項目を前記表示手段に表示させる表示ステップと
を有することを特徴とする画像形成システムの制御方法。
【請求項８】  シートに対して異なる動作をそれぞれ行う複数の処理モジュールと、前記処理モジュール毎にそのメンテナンス項目と該メンテナンス項目に関連するサブメンテナンス項目とを記憶する記憶手段と、表示手段とを備え、前記複数の処理モジュールのうち、ジョブ実行中に該ジョブに使用されていない処理モジュールに対してメンテナンスを行うことが可能な画像形成システムの制御方法であって、
前記複数の処理モジュールのメンテナンス項目の中から選択された処理モジュールのメンテナンス項目のメンテナンスが終了したか否かを判定する第１の判定ステップと、
前記第１の判定ステップにより前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定ステップと、
前記第２の判定ステップにより前記選択された処理モジュールのメンテナンス項目に関連するサブメンテナンス項目があると判定された場合、該サブメンテナンス項目を前記表示手段に表示させる表示ステップと
を有することを特徴とする画像形成システムの制御方法。
【請求項９】  複数のメンテナンス項目と各メンテナンス項目に関連するサブメンテナンス項目とを記憶する記憶手段と、表示手段とを備え、用紙上に画像を形成する画像形成システムに実行させるプログラムであって、
前記複数のメンテナンス項目の中から選択されたメンテナンス項目のメンテナンスが終了したか否かを判定する第１の判定ステップと、
前記第１の判定ステップにより前記選択されたメンテナンス項目のメンテナンスが終了したと判定された場合、前記記憶手段を参照して前記選択されたメンテナンス項目に関連するサブメンテナンス項目があるか否かを判定する第２の判定ステップと、
前記第２の判定ステップにより前記選択されたメンテナンス項目に関連するサブメンテナンス項目があると判定された場合、該サブメンテナンス項目を前記表示手段に表示させる表示ステップと
を有することを特徴とするプログラム。
【請求項１０】  シートに対して異なる動作をそれぞれ行う複数の処理モジュールと、前記処理モジュール毎にそのメンテナンス項目と該メンテナンス項目に関連するサブメンテナンス項目とを記憶する記憶手段と、表示手段とを備え、前記複数の処理モジュールのうち、ジョブ実行中に該ジョブに使用されていない処理モジュールに対してメンテナンスを行うことが可能な画像形成システムに実行させるプログラムであって、
前記複数の処理モジュールのメンテナンス項目の中から選択された処理モジュールのメンテナンス項目のメンテナンスが終了したか否かを判定する第１の判定ステップと、
前記第１の判定ステップにより前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定ステップと、
前記第２の判定ステップにより前記選択された処理モジュールのメンテナンス項目に関連するサブメンテナンス項目があると判定された場合、該サブメンテナンス項目を前記表示手段に表示させる表示ステップと
を有することを特徴とするプログラム。
【手続補正３】
【補正対象書類名】明細書
【補正対象項目名】０００１
【補正方法】変更
【補正の内容】
【０００１】
【発明の属する技術分野】
本発明は、用紙上に画像を形成する画像形成システム、その制御方法およびプログラムに関する。
【手続補正４】
【補正対象書類名】明細書
【補正対象項目名】００１３
【補正方法】変更
【補正の内容】
【００１３】
本発明の目的は、交換や清掃および調整などのメンテナンス項目に対するメンテナンスを実施した後に必要なサブメンテナンス項目に対するメンテナンスの実施忘れを未然に防止することができる画像形成システム、その制御方法およびプログラムを提供することにある。
【手続補正５】
【補正対象書類名】明細書
【補正対象項目名】００１４
【補正方法】変更
【補正の内容】
【００１４】
【課題を解決するための手段】
本発明は、上記目的を達成するため、用紙上に画像を形成する画像形成システムであって、表示手段と、複数のメンテナンス項目と各メンテナンス項目に関連するサブメンテナンス項目とを記憶する記憶手段と、前記複数のメンテナンス項目の中から選択されたメンテナンス項目のメンテナンスが終了したか否かを判定する第１の判定手段と、前記第１の判定手段により前記選択されたメンテナンス項目のメンテナンスが終了したと判定された場合、前記記憶手段を参照して前記選択されたメンテナンス項目に関連するサブメンテナンス項目があるか否かを判定する第２の判定手段と、前記第２の判定手段により前記選択されたメンテナンス項目に関連するサブメンテナンス項目があると判定された場合、該サブメンテナンス項目を前記表示手段に表示させる表示制御手段とを有することを特徴とする。
【手続補正６】
【補正対象書類名】明細書
【補正対象項目名】００１５
【補正方法】変更
【補正の内容】
【００１５】
本発明は、上記目的を達成するため、シートに対して異なる動作をそれぞれ行う複数の処理モジュールを備える画像形成システムであって、表示手段と、前記処理モジュール毎にそのメンテナンス項目と該メンテナンス項目に関連するサブメンテナンス項目とを記憶する記憶手段と、前記複数の処理モジュールのメンテナンス項目の中から選択された処理モジュールのメンテナンス項目のメンテナンスが終了したか否かを判定する第１の判定手段と、前記第１の判定手段により前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定手段と、前記第２の判定手段により前記選択された処理モジュールのメンテナンス項目に関連するサブメンテナンス項目があると判定された場合、該サブメンテナンス項目を前記表示手段に表示させる表示制御手段とを有することを特徴とする。
【手続補正７】
【補正対象書類名】明細書
【補正対象項目名】００１６
【補正方法】変更
【補正の内容】
【００１６】
本発明は、上記目的を達成するため、複数のメンテナンス項目と各メンテナンス項目に関連するサブメンテナンス項目とを記憶する記憶手段と、表示手段とを備え、用紙上に画像を形成する画像形成システムの制御方法であって、前記複数のメンテナンス項目の中から選択されたメンテナンス項目のメンテナンスが終了したか否かを判定する第１の判定ステップと、前記第１の判定ステップにより前記選択されたメンテナンス項目のメンテナンスが終了したと判定された場合、前記記憶手段を参照して前記選択されたメンテナンス項目に関連するサブメンテナンス項目があるか否かを判定する第２の判定ステップと、前記第２の判定ステップにより前記選択されたメンテナンス項目に関連するサブメンテナンス項目があると判定された場合、該サブメンテナンス項目を前記表示手段に表示させる表示ステップとを有することを特徴とする。
【手続補正８】
【補正対象書類名】明細書
【補正対象項目名】００１７
【補正方法】変更
【補正の内容】
【００１７】
本発明は、上記目的を達成するため、シートに対して異なる動作をそれぞれ行う複数の処理モジュールと、前記処理モジュール毎にそのメンテナンス項目と該メンテナンス項目に関連するサブメンテナンス項目とを記憶する記憶手段と、表示手段とを備え、前記複数の処理モジュールのうち、ジョブ実行中に該ジョブに使用されていない処理モジュールに対してメンテナンスを行うことが可能な画像形成システムの制御方法であって、前記複数の処理モジュールのメンテナンス項目の中から選択された処理モジュールのメンテナンス項目のメンテナンスが終了したか否かを判定する第１の判定ステップと、前記第１の判定ステップにより前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定ステップと、前記第２の判定ステップにより前記選択された処理モジュールのメンテナンス項目に関連するサブメンテナンス項目があると判定された場合、該サブメンテナンス項目を前記表示手段に表示させる表示ステップとを有することを特徴とする。
【手続補正９】
【補正対象書類名】明細書
【補正対象項目名】００１８
【補正方法】変更
【補正の内容】
【００１８】
本発明は、上記目的を達成するため、複数のメンテナンス項目と各メンテナンス項目に関連するサブメンテナンス項目とを記憶する記憶手段と、表示手段とを備え、用紙上に画像を形成する画像形成システムに実行させるプログラムであって、前記複数のメンテナンス項目の中から選択されたメンテナンス項目のメンテナンスが終了したか否かを判定する第１の判定ステップと、前記第１の判定ステップにより前記選択されたメンテナンス項目のメンテナンスが終了したと判定された場合、前記記憶手段を参照して前記選択されたメンテナンス項目に関連するサブメンテナンス項目があるか否かを判定する第２の判定ステップと、前記第２の判定ステップにより前記選択されたメンテナンス項目に関連するサブメンテナンス項目があると判定された場合、該サブメンテナンス項目を前記表示手段に表示させる表示ステップとを有することを特徴とする。
【手続補正１０】
【補正対象書類名】明細書
【補正対象項目名】００１９
【補正方法】変更
【補正の内容】
【００１９】
本発明は、上記目的を達成するため、シートに対して異なる動作をそれぞれ行う複数の処理モジュールと、前記処理モジュール毎にそのメンテナンス項目と該メンテナンス項目に関連するサブメンテナンス項目とを記憶する記憶手段と、表示手段とを備え、前記複数の処理モジュールのうち、ジョブ実行中に該ジョブに使用されていない処理モジュールに対してメンテナンスを行うことが可能な画像形成システムに実行させるプログラムであって、前記複数の処理モジュールのメンテナンス項目の中から選択された処理モジュールのメンテナンス項目のメンテナンスが終了したか否かを判定する第１の判定ステップと、前記第１の判定ステップにより前記選択された処理モジュールのメンテナンス項目のメンテナンスが終了したと判定された場合、前記記憶手段を参照して前記選択された処理モジュールのメンテナンス項目に関連するサブメンテナンス項目があるか否かを判定する第２の判定ステップと、前記第２の判定ステップにより前記選択された処理モジュールのメンテナンス項目に関連するサブメンテナンス項目があると判定された場合、該サブメンテナンス項目を前記表示手段に表示させる表示ステップとを有することを特徴とする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】